(57)【要約】【課題】折紙箱を極めて簡易な形状で、少ない製造工程により、低コストで製作することができ、しかも折紙箱の組立が容易・迅速に行なえ、所定以上の強度が十分に得られるようにする。【解決手段】１枚の矩形状の紙材を折込んで折紙箱２０を製造するものであり、折紙箱２０は、矩形状の底壁部１と、この底壁部１の各辺から立上がる４枚の側壁部２，３，４，５と、この側壁部のうち対向する２枚の側壁部２，３の上端部に連設されて一部が上下に重なる天壁部６，７とを有する。側壁補強部の下端隅角位置を傾斜ライン１３に沿って折返し、その折返し端が側壁部４の両端部に連設される。【選択図】図１
2004059135.tif 000002
【特許請求の範囲】
【請求項１】
矩形状の底壁部と、この底壁部の一辺に沿う方向をＸ方向、これに直交する方向をＹ方向としたとき、前記底壁部のＸ方向にて対向する１対の辺縁部からそれぞれ略垂直に立上るＸ方向側壁部と、前記底壁部のＹ方向における少なくとも一方の辺縁部から略垂直に立上るＹ方向側壁部と、前記各Ｘ方向側壁部の上端縁から互いに対向する方向に延び、その先端部同士が上下に重合する上側天壁部および下側天壁部と、前記上側天壁部のＹ方向に沿う両端縁を下側に折返して構成され、前記下側天壁部のＹ方向に沿う両端縁をそれぞれ下側から挟み込む１対の天壁補強兼挟持部と、前記下側天壁部のＹ方向に沿う両端縁を下向きに帯状に折返して構成された１対の天壁補強部と、前記Ｘ方向両側壁部のＹ方向に沿う両端縁をそれぞれ対向面側に帯状に折返して２重壁状に構成され、その各上端が前記天壁補強兼挟持部および前記天壁補強部にそれぞれ連設されている側壁補強部と、これら各側壁補強部の下端隅角位置を前記Ｙ方向側壁部のＸ方向に沿う両端部に連設されている隅角連設部とを備えたことを特徴とする折紙箱。
【請求項２】
矩形状の底壁部と、この底壁部の一辺に沿う方向をＸ方向、これに直交する方向をＹ方向としたとき、前記底壁部のＸ方向にて対向する１対の辺縁部からそれぞれ略垂直に立上るＸ方向側壁部と、前記底壁部のＹ方向にて対向する１対の辺縁部からそれぞれ略垂直に立上るＹ方向側壁部と、前記各Ｘ方向側壁部の上端縁から互いに対向する方向に延び、その先端部同士が上下に重合する上側天壁部および下側天壁部と、前記上側天壁部のＹ方向に沿う両端縁を下側に折返して構成され、前記下側天壁部のＹ方向に沿う両端縁をそれぞれ下側から挟み込む１対の天壁補強兼挟持部と、前記下側天壁部のＹ方向に沿う両端縁を下向きに帯状に折返して構成された１対の天壁補強部と、前記Ｘ方向両側壁部のＹ方向に沿う両端縁をそれぞれ対向面側に帯状に折返して２重壁状に構成され、その各上端が前記天壁補強兼挟持部および前記天壁補強部にそれぞれ連設されている側壁補強部と、これら各側壁補強部の下端隅角位置を傾斜ラインに沿ってＸ方向に折返して構成され、その折返し端が前記各Ｙ方向側壁部のＸ方向に沿う両端部に連設されている略三角形状の隅角連設部とを備えたことを特徴とする折紙箱。
【請求項３】
前記底壁部、Ｘ方向側壁部、Ｙ方向側壁部、上側天壁部、下側天壁部、天壁補強兼挟持部、天壁補強部、側壁補強部および隅角連設部は、１枚の矩形状の紙材を折曲げて構成されている請求項１または２記載の折紙箱。
【請求項４】
前記下側天壁部の一方の天壁補強部は、折返し縁部にてスリット状に切除されて前記上側天壁部よりもＹ方向の幅が狭く設定されている請求項１または２記載の折紙箱。
【請求項５】
１枚の矩形状の紙材を折込んで折紙箱を製造する折紙箱製造方法であって、前記紙材を水平配置とした場合の一辺に沿う方向をＸ方向、これに直交する方向をＹ方向としたとき、前記紙材のＹ方向にて対向する両辺縁部を前記紙材の同一の面側にそれぞれ補強部として帯状に折返す補強部折込み工程と、前記紙材のＸ方向に沿う中央部分の一定幅の領域を底壁部として設定し、その底壁部のＸ方向に沿う両端位置を前記補強部の折込み方向と同一の方向に立上げる底壁部折込み工程と、この底壁部折込み工程で立上げた両端側の領域をさらにＸ方向に沿って２分して前記折込み方向と同一の側に折込んで前記底壁部に近い側をＸ方向側壁部、前記底壁部に遠い側を天壁部とする側壁および天壁折込み工程と、前記一方の天壁部およびこの天壁部のＹ方向両端に折込まれている補強部の間に、前記他方の天壁部およびこの天壁部のＹ方向両端に折込まれている補強部を挿入することにより、Ｙ方向両端が開口した四角筒状の箱予備体を組立てる箱予備予備体組立て工程と、前記箱予備体の底壁部のＹ方向に沿う両端位置の補強部をそれぞれＹ方向側壁部として立上げ、Ｙ方向両端開口の一部または全体を塞ぐ箱組立て工程とを備えたことを特徴とする折紙箱製造方法。
【請求項６】
前記各工程のいずれかの工程において、一方の天壁部に挿入する他方の天壁部および補強部をその折返し縁部にてスリット状に切除する切除工程を備える請求項５記載の折紙箱製造方法。
【請求項７】
前記箱予備体まで折込んだ状態で被包装用の内容物を前記底壁部上に収納し、その後に前記底壁部のＹ方向に沿う両端位置の補強部をそれぞれＹ方向側壁部として立上げ、Ｙ方向両端開口の一部または全体を塞ぐ箱組立て工程を行なうことを特徴とする請求項５記載の折紙箱製造方法。
【請求項８】
矩形状紙材であって、その紙材の一辺に沿う方向をＸ方向、これに直交する方向をＹ方向としたとき、前記紙材の一面または両面に印刷、プレス凹部または穿孔による折込みガイド用のラインとして、前記紙材のＹ方向にて対向する両辺縁部を前記紙材の同一の面側にそれぞれ補強部として帯状に折返すための補強部折込みラインと、前記紙材のＸ方向に沿う中央部分の一定幅の領域を底壁部として設定し、その底壁部のＸ方向に沿う両端位置を前記補強部の折込み方向と同一の方向に立上げるための底壁部折込みラインと、この底壁部折込みラインに沿って立上げる両端側の領域をさらにＸ方向に沿って２分して前記折込み方向と同一の側に折込んで前記底壁部に近い側をＸ方向側壁部、前記底壁部に遠い側を天壁部とするための側壁および天壁折込みラインと、前記各側壁補強部の下端隅角位置をＸ方向に折返すための傾斜ラインとを備えたことを特徴とする折紙箱用紙材。
【発明の詳細な説明】
【０００１】
【発明の属する技術分野】
本発明は、洋菓子、和菓子、惣材等の食品その他各種物品を持帰り用として店頭販売するような場合の包装に好適な折紙箱、その製造方法および折紙箱用紙材に関する。
【０００２】
【従来の技術】
従来、例えばケーキ等の洋菓子の持帰り用販売の分野あるいは和菓子、惣材等の食品販売の分野等においては、手軽さ等の面から各種の紙箱が利用されている。
【０００３】
そして、この種の紙箱は、例えば使用前には折畳んで平坦な状態で積上げ収納しておき、使用時すなわち商品販売時等において、紙箱を立体的に組立て、その内部に商品を収納し、持帰り用とするものが多い。
【０００４】
このような紙箱には一般に、所要強度の紙材が適用され、この紙箱用紙材を製作する製箱業者による製作工程としては、紙材を組立てに適する形状に切断し、また折曲ラインをプレス凹部等として形成し、さらに一部を接着する等の複数段階の製箱工程を経て製造されてている。
【０００５】
【発明が解決しようとする課題】
ところが、上述した従来の紙箱では、切断、プレス、接着等の複数段階の工程を経て製造されており、切断工具、プレス工具、接着工具等の設備を必要とするとともに加工工数が多いことから、比較的コスト高となる難点がある。また、紙箱の形状も比較的複雑であり、切断工程自体、またプレス工程自体も複雑な型、工具等を必要としている。さらに、箱を構成するための紙材にも一定以上の強度が必要とされ、紙材自体の材料コストも高くなっている。
【０００６】
一方、販売面においては紙箱の組立て作業や商品の包み込み等に手間が掛かり、熟練を要する場合も多く、販売員に時間や労力的に余分な負担が強いられることもある。特に商品が柔らかい種類のものである場合、また客数が多い混雑時等に不便を感じる場合が多い。
【０００７】
本発明はこのような事情に鑑みてなされたもので、極めて簡易な形状で、少ない製造工程により低コストで製作することができ、しかも組立が容易・迅速に行なえ、所定以上の強度が十分に得られる折紙箱、その製造方法および折紙箱用紙材を提供することを目的とする。
【０００８】
【課題を解決するための手段】
上記の目的を達成するため、請求項１に係る発明では、矩形状の底壁部と、この底壁部の一辺に沿う方向をＸ方向、これに直交する方向をＹ方向としたとき、前記底壁部のＸ方向にて対向する１対の辺縁部からそれぞれ略垂直に立上るＸ方向側壁部と、前記底壁部のＹ方向における少なくとも一方の辺縁部から略垂直に立上るＹ方向側壁部と、前記各Ｘ方向側壁部の上端縁から互いに対向する方向に延び、その先端部同士が上下に重合する上側天壁部および下側天壁部と、前記上側天壁部のＹ方向に沿う両端縁を下側に折返して構成され、前記下側天壁部のＹ方向に沿う両端縁をそれぞれ下側から挟み込む１対の天壁補強兼挟持部と、前記下側天壁部のＹ方向に沿う両端縁を下向きに帯状に折返して構成された１対の天壁補強部と、前記Ｘ方向両側壁部のＹ方向に沿う両端縁をそれぞれ対向面側に帯状に折返して２重壁状に構成され、その各上端が前記天壁補強兼挟持部および前記天壁補強部にそれぞれ連設されている側壁補強部と、これら各側壁補強部の下端隅角位置を前記Ｙ方向側壁部のＸ方向に沿う両端部に連設されている隅角連設部とを備えたことを特徴とする折紙箱を提供する。
【０００９】
請求項２に係る発明では、矩形状の底壁部と、この底壁部の一辺に沿う方向をＸ方向、これに直交する方向をＹ方向としたとき、前記底壁部のＸ方向にて対向する１対の辺縁部からそれぞれ略垂直に立上るＸ方向側壁部と、前記底壁部のＹ方向にて対向する１対の辺縁部からそれぞれ略垂直に立上るＹ方向側壁部と、前記各Ｘ方向側壁部の上端縁から互いに対向する方向に延び、その先端部同士が上下に重合する上側天壁部および下側天壁部と、前記上側天壁部のＹ方向に沿う両端縁を下側に折返して構成され、前記下側天壁部のＹ方向に沿う両端縁をそれぞれ下側から挟み込む１対の天壁補強兼挟持部と、前記下側天壁部のＹ方向に沿う両端縁を下向きに帯状に折返して構成された１対の天壁補強部と、前記Ｘ方向両側壁部のＹ方向に沿う両端縁をそれぞれ対向面側に帯状に折返して２重壁状に構成され、その各上端が前記天壁補強兼挟持部および前記天壁補強部にそれぞれ連設されている側壁補強部と、これら各側壁補強部の下端隅角位置を傾斜ラインに沿ってＸ方向に折返して構成され、その折返し端が前記各Ｙ方向側壁部のＸ方向に沿う両端部に連設されている略三角形状の隅角連設部とを備えたことを特徴とする折紙箱を提供する。
【００１０】
請求項３に係る発明では、前記底壁部、Ｘ方向側壁部、Ｙ方向側壁部、上側天壁部、下側天壁部、天壁補強兼挟持部、天壁補強部、側壁補強部および隅角連設部は、１枚の矩形状の紙材を折曲げて構成されている請求項１または２記載の折紙箱を提供する。
【００１１】
請求項４に係る発明では、前記下側天壁部の一方の天壁補強部は、折返し縁部にてスリット状に切除されて前記上側天壁部よりもＹ方向の幅が狭く設定されている請求項１または２記載の折紙箱を提供する。
【００１２】
請求項５に係る発明では、１枚の矩形状の紙材を折込んで折紙箱を製造する折紙箱製造方法であって、前記紙材を水平配置とした場合の一辺に沿う方向をＸ方向、これに直交する方向をＹ方向としたとき、前記紙材のＹ方向にて対向する両辺縁部を前記紙材の同一の面側にそれぞれ補強部として帯状に折返す補強部折込み工程と、前記紙材のＸ方向に沿う中央部分の一定幅の領域を底壁部として設定し、その底壁部のＸ方向に沿う両端位置を前記補強部の折込み方向と同一の方向に立上げる底壁部折込み工程と、この底壁部折込み工程で立上げた両端側の領域をさらにＸ方向に沿って２分して前記折込み方向と同一の側に折込んで前記底壁部に近い側をＸ方向側壁部、前記底壁部に遠い側を天壁部とする側壁および天壁折込み工程と、前記一方の天壁部およびこの天壁部のＹ方向両端に折込まれている補強部の間に、前記他方の天壁部およびこの天壁部のＹ方向両端に折込まれている補強部を挿入することにより、Ｙ方向両端が開口した四角筒状の箱予備体を組立てる箱予備予備体組立て工程と、前記箱予備体の底壁部のＹ方向に沿う両端位置の補強部をそれぞれＹ方向側壁部として立上げ、Ｙ方向両端開口の一部または全体を塞ぐ箱組立て工程とを備えたことを特徴とする折紙箱製造方法を提供する。
【００１３】
請求項６に係る発明では、前記各工程のいずれかの工程において、一方の天壁部に挿入する他方の天壁部および補強部をその折返し縁部にてスリット状に切除する切除工程を備える請求項５記載の折紙箱製造方法を提供する。
【００１４】
請求項７に係る発明では、前記箱予備体まで折込んだ状態で被包装用の内容物を前記底壁部上に収納し、その後に前記底壁部のＹ方向に沿う両端位置の補強部をそれぞれＹ方向側壁部として立上げ、Ｙ方向両端開口の一部または全体を塞ぐ箱組立て工程を行なうことを特徴とする請求項５記載の折紙箱製造方法を提供する。
【００１５】
請求項８に係る発明では、矩形状紙材であって、その紙材の一辺に沿う方向をＸ方向、これに直交する方向をＹ方向としたとき、前記紙材の一面または両面に印刷、プレス凹部または穿孔による折込みガイド用のラインとして、前記紙材のＹ方向にて対向する両辺縁部を前記紙材の同一の面側にそれぞれ補強部として帯状に折返すための補強部折込みラインと、前記紙材のＸ方向に沿う中央部分の一定幅の領域を底壁部として設定し、その底壁部のＸ方向に沿う両端位置を前記補強部の折込み方向と同一の方向に立上げるための底壁部折込みラインと、この底壁部折込みラインに沿って立上げる両端側の領域をさらにＸ方向に沿って２分して前記折込み方向と同一の側に折込んで前記底壁部に近い側をＸ方向側壁部、前記底壁部に遠い側を天壁部とするための側壁および天壁折込みラインと、前記各側壁補強部の下端隅角位置をＸ方向に折返すための傾斜ラインとを備えたことを特徴とする折紙箱用紙材を提供する。
【００１６】
【発明の実施の形態】
以下、本発明の一実施形態について、図面を参照して説明する。
【００１７】
まず、図１によって折紙箱２０の具体的な構成例を説明する。この図１に示すように、本実施形態の折紙箱２０は略直方体状をなす。すなわち、この折紙箱２０は、矩形状の底壁部１と、この底壁部１の各辺から立上がる４枚の側壁部２，３，４，５と、この側壁部のうち対向する２枚の側壁部２，３の上端部に連設されて一部が上下に重なる天壁部６，７とを有する。
【００１８】
詳述すると、図１に示したように、矩形状（長方形状）の底壁部１の一辺（短辺）に沿う方向をＸ方向、これに直交する他辺（長辺）に沿う方向をＹ方向とした場合、Ｘ方向にて対向する底壁部１の１対の辺縁部１ａ，１ｂから、これら各辺縁部１ａ，１ｂの長さと同一長さの側壁部（以下、「Ｘ方向側壁部」という）２，３が互いに同一高さで略垂直に立上っている。これらのＸ方向側壁部２，３は、底壁部１を構成する紙材と同一の紙材により構成され、底壁部１の辺縁部１ａ，１ｂを折曲縁として、上向きに折曲して形成されたものである。
【００１９】
一方、Ｙ方向にて対向する底壁部１の１対の辺縁部１ｃ，１ｄには、Ｘ方向側壁部２，３よりも背の低い、例えばＸ方向側壁部２，３の略半分程度の高さの側壁部（以下、「Ｙ方向側壁部」という）４，５が垂直に立上っている。これらのＹ方向側壁部４，５も、底壁部１を構成する紙材を折曲して構成されている。そして、両Ｙ方向側壁部４，５は互いに同一高さとされ、かつそれらの長さはＹ方向にて対向する底壁部１の１対の辺縁部１ｃ，１の長さと同一とされている。
【００２０】
各Ｘ方向側壁部２，３の上端には、それぞれ底壁部１の上面と平行で、かつ底壁部１よりもＸ方向に沿う長さが少し短い天壁部６，７が互いに対向する方向に沿って延びており、一方の天壁部６の先端部が、他方の天壁部７の先端部上面に重合している。以下、上側に重合する天壁部６を「上側天壁部６」といい、下側に重合する天壁部７を「下側天壁部７」という。これらの上側天壁部６および下側天壁部７は、Ｘ方向側壁部２，３を構成する紙材と同一の紙材により構成されており、Ｘ方向側壁部２，３の上端縁２ａ，３ａを折曲縁としてして横向きに折曲して形成されている。
【００２１】
上側天壁部６のＹ方向に沿う両端縁６ａ，６ｂには、この上側天壁部６の上下方向の曲げ強度を高める機能と、下側天壁部７を挿入保持する挟持機能とを兼ねる天壁補強兼挟持部８，９がそれぞれ形成されている。すなわち、これらの天壁補強兼挟持部８，９は、上側天壁部６のＹ方向に沿う両端縁６ａ，６ｂを下側に帯状に折返して構成されており、上側天壁部６のＹ方向に沿う両端縁６ａ，６ｂを２重壁構造とすることにより、上下方向の曲げ強度が高められている。また、Ｘ方向から見たとき、上側天壁部６の両端部が天壁補強兼挟持部８，９により下側に平行に折曲げられて桟が形成された状態となっており、この桟状の天壁補強兼挟持部８，９の上に、下側天壁部７を挿入して上下に挟み込んだ状態で支持できる構成となっている。
【００２２】
下側天壁部７のＹ方向に沿う両端縁７ａ，７ｂにも、下向きに帯状に折返された１対の天壁補強部１０，１１が形成されている。この下側天壁部７のＹ方向両端縁７ａ，７ｂも２重壁構造とされ、これにより上下方向の曲げ強度が高められている。ここで、下側天壁部７の一方の端縁７ａと、その部分の天壁補強部１０とは、その外側部分を一部切除することにより、Ｙ方向に沿う幅寸法を上側天壁部６よりも小さくしてある。これにより、下側天壁部７を上側天壁部６に容易に挿入できるようになっている。この下側天壁部７の一方の端縁７ａ部分の切除については、後述する箱折込み工程の途中において鋏具による切断、あるいは後述する紙材２１の製造時における簡易な切断工程等によって行なわれる。
【００２３】
なお、以上の天壁補強兼挟持部８，９および天壁補強部１０，１１の折曲げ幅は、Ｙ方向側壁部４，５の高さと同一である。
【００２４】
また、Ｘ方向両側壁部２，３についても、Ｙ方向に沿う各両端縁２ｂ，２ｃ，３ｂ，３ｃがそれぞれＸ方向両側壁部２，３同士の対向面側に向けて帯状に折返され、この折返し部分によりそれぞれ側壁補強部１２…が形成されている。すなわち、各側壁補強部１２…によりＸ方向両側壁部２，３の各両端縁２ｂ，２ｃ，３ｂ，３ｃが２重壁構造となり、これによりＸ方向両側壁部２，３も、その両端縁２ｂ，２ｃ，３ｂ，３ｃ部分において壁厚方向の曲げ強度が高められている。これらＸ方向両側壁部２，３の両端縁２ｂ，２ｃ，３ｂ，３ｃの側壁補強部１２…は、上述した天壁補強兼挟持部８，９および天壁補強部１０，１１と連続し、かつ同一幅の帯状構成とされている。
【００２５】
さらに、各側壁補強部１２…は、それぞれ下端隅角位置において、傾斜ライン１３に沿って各側壁補強部１２…の内側面に重合する方向に折返され、略三角形状の隅角連設部１５とされている。すなわち、各側壁補強部１２…の下端における折返し部分が、各Ｙ方向側壁部４，５のＸ方向に沿う両端部４ａ，５ａに隅角連設部１５を介してそれぞれ一体に連設された構成となっている。
【００２６】
次に、図２により、上記折紙箱２０を構成する原紙としての紙材２１について説明し、続いて図３〜図８により紙材２１を折込んで折紙箱２０として完成させる製造方法を説明する。
【００２７】
図２に示すように、紙材２１は矩形（長方形）状のものである。この紙材２１の厚さおよび強度等は、折紙箱２０の大きさおよび包装すべき内容物の重量等に基づいて設定される。ただし、折紙箱２０は、図示しない袋等に収容して持運ぶ態様で使用することができる。したがって、折紙箱２０自体を単独で持ち運ぶ態様で使用しない場合には、紙材２１として格別に高い強度を必要としない。すなわち、本実施形態の紙材２１は、ある程度の対破断強度を有する紙、例えば通常のコピー用紙、バインダその他の形式で用いられているノート用紙程度の強度および厚さのものから、それ以上の厚さまたは強度を有する各種厚紙、加工紙まで、様々の紙類を任意に選択して適用することができる。また、紙材２１の大きさ、各方向の寸法関係についても、用途等に応じて種々設定することができる。
【００２８】
そして、本発明において、紙材は、その一面または両面に印刷、プレス凹部または穿孔による折込みガイド用のラインを有する。本実施形態では、図２に示したように、矩形状紙材２１を例えば水平に配置した状態において、その一辺に沿う方向をＸ方向、これに直交する方向をＹ方向としたとき、例えば折紙箱２０の外側面となる面（図２における紙材２１の下面）に、プレス凹部による折込みガイド用の複数のラインが形成されている。
【００２９】
すなわち、紙材２１の下面には、Ｙ方向にて対向する両辺縁部２１ａ，２１ｂを補強部として上面側に向けて帯状に折返すため、例えば両辺縁部２１ａ，２１ｂから同一幅の位置に補強部折込みライン２２ａ，２２ｂがそれぞれ設けられている。これらの補強部折込みライン２２ａ，２２ｂは、紙材２１のＸ方向全体に亘って延びている。
【００３０】
また、紙材のＸ方向に沿う中央部分の一定幅の領域が底壁部（１）として設定される。この底壁部（１）のＸ方向に沿う両端位置を補強部の折込み方向と同一の方向（上面側方向）に立上げるため、底壁部（１）を画成する底壁部折込みライン２３ａ，２３ｂが設けられている。
【００３１】
さらに、底壁部折込みライン２３ａ，２３ｂに沿って立上げる紙材２１のＸ方向両端側の領域をさらに２分して、上記補強部等の折込み方向と同一の側（上面側）に折込んで底壁部（１）に近い側をＸ方向側壁部（２），（３）、底壁部（１）に遠い側を天壁部（６），（７）とするための側壁および天壁折込みライン２４ａ，２４ｂが設けられている。
【００３２】
さらにまた、Ｘ方向側壁部（２），（３）の各側壁補強部（１２）の下端隅角位置をＸ方向に折返すための傾斜ライン２５（１３）が設けられている。
【００３３】
なお、以上の図２に示したラインの形成位置等は一例であって、このライン形成位置は折紙箱２０の各部の寸法等に基づいて種々変更できることは勿論である。
【００３４】
このように、本実施形態の紙材２１は全体として、単に矩形状の簡易な構成とされ、その一面に折込み用の各ラインをプレス凹部として成形しただけのものである。したがって、本実施形態の紙材１を製造する場合には、その紙材１の輪郭が予め定められていれば、ライン形成用のプレス工程のみで済む。このため、製箱業者においては、従来のように切断、プレス、接着等の複数段階の工程を経て製造する必要がない。
【００３５】
すなわち、切断工具、プレス工具、接着工具等の多くの設備や工具を使用する必要がなく、また加工工数が１工程と少なくて済むことから、製作面において大幅な低コスト化（具体的には半減）が図れるようになる。また、工程数が低減できることから、例えば商品販売者の発注から製箱業者による納品時間が短縮されるとともに、製箱業者における在庫が削減でき、在庫スペースも少なくて済む。
【００３６】
なお、上述したように、折紙箱２０において、下側天壁部７の一方の端縁７ａ部分を幅狭とするための切除を紙材２１の製造時に行なう場合もあり得る。この場合には、単にスリット状の簡易な切断を行なうだけでよく、複雑形状の切断加工と異なり、特別面倒な工程となることはなく、簡易な工程で済む。
【００３７】
以上の紙材２１は、これに設けた各ラインに沿って下記の図３〜図８に示す手順で折込み操作することにより、図２に示した折紙箱２０を形成することができる。なお、この折紙箱２０の折込み製造作業については、商品の販売員等が店頭にて行なうものである。また、折込み途中において、商品の収納を行なう。
【００３８】
図３および図４は折込み初期の補強部折込み工程を示している。すなわち、紙材２１を水平配置とした場合の一辺に沿う方向をＸ方向、これに直交する方向をＹ方向としたとき、図３に示すように、紙材２１のＹ方向にて対向する両辺縁部分を補強部折込みライン２２ａ，２２ｂに沿い、紙材２１の同一の面（上面）側にそれぞれ帯状に折返す（矢印ａ）。そして、図４に示すように、紙材２１のＹ方向にて対向する両辺縁部分を帯状の２重壁となるようにする。これにより、両辺縁部分が２重壁となり、上下方向の折曲荷重に対して補強される。
【００３９】
なお、この工程では図４に示すように、完成後の折紙箱２０の下側天壁部となる部分（７）のＹ方向一端部およびその天壁補強部となる部分（１０）を、その折返し縁部にて、例えば鋏具等によりスリット状に切除する（矢印Ａ）。
【００４０】
次に、図５に示すように、紙材２１のＸ方向に沿う中央部分の一定幅の領域を底壁部（１）として設定し、その底壁部のＸ方向に沿う両端位置の低部折込みライン２３ａ，２３ｂに沿い、図３の補強部折込み方向と同一の方向（上面方向）に立上げる底壁部折込み工程を行なう。
【００４１】
この後、図６に示すように、底壁部折込み工程で立上げた両端側の領域をさらにＸ方向に沿って２分して、低部折込み方向と同一の側に折込んで底壁部（１）に近い側をＸ方向側壁部（２），（３）、前記底壁部に遠い側を天壁部（６），（７）とする側壁および天壁折込み工程を行なう。
【００４２】
そして、図７に示すように、一方の天壁部（上側天壁部６）およびこの天壁部のＹ方向両端に折込まれている補強部（天壁補強兼挟持部８，９）の間に、他方の天壁部（下側天壁部７）およびこの天壁部のＹ方向両端に折込まれている補強部（天壁補強部１０、１１）を挿入することにより、Ｙ方向両端が開口した四角筒状の箱予備体２１’を組立てる箱予備予備体組立て工程を行なう。
【００４３】
ここで、販売員等は、箱予備体２１’内に、被包装用の内容物である所定の商品を収納し、底壁部１上に載置する。
【００４４】
商品収納後に、図７に矢印ｂで示すように、底壁部１のＹ方向に沿う両端位置の補強部（Ｙ方向側壁部４，５となる部分）を、例えば指により引き上げるようにして、それぞれ立上げる。
【００４５】
そして、最終的に図８に示すように、Ｙ方向側壁部４，５を立ち上げるように折込み、Ｙ方向両端の開口の一部または全体を塞ぐ箱組立て工程を行なう。これにより、商品等の内容物を収納した状態で折紙箱２０が完成する。
【００４６】
以上の方法によると、販売員等の包装者は、図３および図４に示した補強部折込み工程の後、紙材２１の向きを変え、図５に示した底壁部折込み工程および図６に示した側壁および天壁折込み工程を経て、図７に示した箱予備予備体組立て工程および商品収納を行ない、その後図８に示した箱組立て工程と、極めて簡便な操作で折紙箱２０の折込みにより箱を完成させることができる。
【００４７】
なお、商品を収納した折紙箱２０は、例えば図示しない袋等に入れて持帰り可能となる。そして、消費者は、商品持ち帰りの後、前記操作の逆に折紙箱２０を開放して消費を取出すことができる。この場合、折紙箱２０を広げれば、１枚の矩形の紙材２１となるので、中の商品を極めて容易に取出すことができ、さらにその紙材２１の処分も容易である。
【００４８】
以上の本実施形態によれば、折紙箱用の紙材２１の製造および納品段階等において作業工程の簡易化によって低コスト化、迅速化等が図れ、製箱業者および販売店の両者とも大きい利点が得られる。
【００４９】
また、折紙箱２０の折込みによる組立工程においては、販売員等が硬度の熟練等を必要とすることなく、容易な作業で手軽に折紙箱を完成し、かつ商品収納等を行なうことがでる。さらに消費者においても、商品の取出しおよび折紙箱の処分等を容易に行なうことができる等、多大な実用的利点が得られる。
【００５０】
なお、以上の実施形態においては、折紙箱２０のＹ方向に沿う両面に側壁部（４，５）を設けたが、収納すべき商品の種類等に対応して、場合によっては一方の側壁部を省略した構成としてもよい。
【００５１】
また、以上の実施形態では特に把手部等を設けていないが、簡便な形状の孔を穿設する等、把手部要素を付加する等の変形が可能である。
【００５２】
さらに、折込み用のラインとしては、プレス凹部に限らず、単なる印刷表示、あるいはミシン目その他の穿孔とすることもできる。
【００５３】
さらにまた、本発明は図示により例示した折紙箱２０および紙材２１の大きさ角部の寸法等に限られるものではなく、種々の変形が可能である。
【００５４】
【発明の効果】
以上で詳述したように、本発明に係る折紙箱、その製造方法および折紙箱用紙材によれば、折紙箱を極めて簡易な形状で、少ない製造工程により、低コストで製作することができ、しかも折紙箱の組立が容易・迅速に行なえ、所定以上の強度が十分に得られる等の優れた効果が奏される。
【図面の簡単な説明】
【図１】本発明の一実施形態による折紙箱の構成を示す斜視図。
【図２】前記実施形態による折紙箱用紙材を示す斜視図。
【図３】本発明に係る折紙箱の製造方法を示す斜視図。
【図４】本発明に係る折紙箱の製造方法を示す斜視図。
【図５】本発明に係る折紙箱の製造方法を示す斜視図。
【図６】本発明に係る折紙箱の製造方法を示す斜視図。
【図７】本発明に係る折紙箱の製造方法を示す斜視図。
【図８】本発明に係る折紙箱の製造方法を示す斜視図。
【符号の説明】
１　底壁部
１ａ，１ｂ　辺縁部
１ｃ，１ｄ　辺縁部
２，３　Ｘ方向側壁部
２ａ，３ａ　上端縁
４，５　Ｙ方向側壁部
６　上側天壁部
６ａ，６ｂ　両端縁
７　下側天壁部
７ａ，７ｂ　Ｙ方向両端縁
８，９　天壁補強兼挟持部
１０，１１　天壁補強部
１２　側壁補強部
１３（２５）　傾斜ライン
２０　折紙箱
２１　紙材
２１ａ，２１ｂ　両辺縁部
２２ａ，２２ｂ　補強部折込みライン
２３ａ，２３ｂ　底壁部折込みライン
２４ａ，２４ｂ　天壁折込みライン
【図１】
2004059135.tif 000003
【図２】
2004059135.tif 000004
【図３】
2004059135.tif 000005
【図４】
2004059135.tif 000006
【図５】
2004059135.tif 000007
【図６】
2004059135.tif 000008
【図７】
2004059135.tif 000009
【図８】
2004059135.tif 000010